(57)【特許請求の範囲】
【請求項１】
送信側端末機から送信されてきた電子メールを保存し受信側端末機からの受信要求に基づいて保存していた電子メールを受信側端末機に送信するメールサーバを含む電子メールサイトにおいて、
送信側端末機から送信されてきた電子メールに地域情報が含まれているか否かを検出する地域情報検出手段と、
電子メールに表示される地域情報の表示範囲を示す位置情報が蓄積された位置情報データベースと、
広告データとその広告提供者の位置データを含む広告情報が蓄積された広告情報データベースと、
前記地域情報検出手段によって電子メールに地域情報が含まれていることが検出された際にその地域情報の位置情報を前記位置情報データベースから検索するとともに、この検索された位置情報が示す地域情報の表示範囲内に位置する広告情報を前記広告情報データベースから蓄積されている広告情報の位置データに基づいて検索して、この検索された広告情報に含まれる広告データを電子メールに挿入する広告情報挿入手段と、
送信側端末機によって電子メールに挿入された受信側端末機における表示形式を識別する情報に基づいて地域情報の表示形式の変換を行う手段と、
を備えていることを特徴とする電子メールへの広告情報付加システム。
【請求項２】
前記地域情報が地図または交通機関，住所の表示である請求項１に記載の電子メールへの広告情報付加システム。
【請求項３】
位置情報データベースに蓄積された位置情報が、地域情報の表示範囲を緯度と経度によって特定するものである請求項１に記載の電子メールへの広告情報付加システム。
【請求項４】
前記広告情報データベースに蓄積された広告情報に含まれる広告データが、バナー広告データである請求項１に記載の電子メールへの広告情報付加システム。
【請求項５】
前記広告情報データベースに蓄積された広告情報に含まれる位置データが、広告提供者の位置を緯度と経度によって特定するものである請求項１に記載の電子メールへの広告情報付加システム。
【請求項６】
送信側端末機から送信されてきた電子メールを保存し受信側端末機からの受信要求に基づいて保存していた電子メールを受信側端末機に送信し、または、送信されてきた電子メールを宛先のメールサーバに送信する電子メールサイトにおいて、
送信側端末機から送信されてきた電子メールに地域情報が含まれているか否かを検出し、
電子メールに地域情報が含まれていることが検出された際に、地域情報の表示範囲を示す位置情報が蓄積された位置情報データベースから電子メールに含まれている地域情報の位置情報を検索し、
広告データとその広告提供者の位置データを含む広告情報が蓄積された広告情報データベースから前記地域情報の表示範囲内に位置する広告情報を、その位置データと検索された前記地域情報の位置情報に基づいて検索して、
この検索された広告情報に含まれる広告データを電子メールに挿入し、
送信側端末機によって電子メールに挿入された受信側端末機における表示形式を識別する情報に基づいて地域情報の表示形式を変換する、
ことを特徴とする電子メールへの広告情報付加方法。
【請求項７】
前記地域情報の表示範囲を緯度と経度によって特定する請求項６に記載の電子メールへの広告情報付加方法。
【請求項８】
前記広告データの広告の提供者の位置を緯度と経度によって特定する請求項６に記載の電子メールへの広告情報付加方法。
【請求項９】
送信側端末機から送信されてきた電子メールへの前記広告データの挿入を、その電子メールの保存前または宛先のメールサーバへの送信前に行う請求項６に記載の電子メールへの広告情報付加方法。
【発明の詳細な説明】
【０００１】
【発明の属する技術分野】
この発明は、電子メールの交換の際にメールに広告情報を付加するためのシステムおよび方法に関する。
【０００２】
【発明が解決しようとする課題】
近年、インターネット等のコンピュータ・ネットワーク（以下、単にネットワークという）の拡充に伴って、情報伝達手段として、電子メールの利用が急速に普及してきている。
【０００３】
この電子メールとは、マイクロコンピュータ等の端末機同士がネットワークを介して文字や音声などの情報をメールの形で交換するシステムであり、送信側端末機から受信側端末機の宛先（メールアドレス）が指定されたメールがネットワークを介して送信されると、このメールはメール交換サーバに保存される。
【０００４】
そして、このメール交換サーバは、メールに指定されているメールアドレスを有する受信側端末機がネットワークを介してアクセスしてくると、その受信側端末機に、保存していたメールの送信を行う。
【０００５】
また、送信されてきた電子メールは、メール交換サーバに保存されずにそのまま宛先の受信側端末機のメールサーバに送信される場合もあり、受信側端末機は、このメールサーバにアクセスすることによって電子メールを受信する。
【０００６】
ここで、従来の電子メールは、受信側端末機にそのまま送信されるだけであるが、近年、この電子メールの広告媒体としての利用が検討されてきており、その際に、メールの受信者に対して利用価値の高い広告を提供することが出来るとともに、これによって広告提供者も高い広告効果を期待できるようにすることが要望されている。
【０００７】
この発明は、電子メールに対する上記のような要望を満たすために為されたものである。
すなわち、この発明は、電子メールが広告媒体として利用される際に、メールの受信者に対して利用価値の高い広告を提供することが出来るとともに、広告提供者も高い広告効果を期待できるようにすることを目的としている。
【０００８】
【課題を解決するための手段】
第１の発明による電子メールへの広告情報付加システムは、上記目的を達成するために、送信側端末機から送信されてきた電子メールを保存し受信側端末機からの受信要求に基づいて保存していた電子メールを受信側端末機に送信するメールサーバを含む電子メールサイトにおいて、送信側端末機から送信されてきた電子メールに地域情報が含まれているか否かを検出する地域情報検出手段と、電子メールに表示される地域情報の表示範囲を示す位置情報が蓄積された位置情報データベースと、広告データとその広告提供者の位置データを含む広告情報が蓄積された広告情報データベースと、前記地域情報検出手段によって電子メールに地域情報が含まれていることが検出された際にその地域情報の位置情報を前記位置情報データベースから検索するとともに、この検索された位置情報が示す地域情報の表示範囲内に位置する広告情報を前記広告情報データベースから蓄積されている広告情報の位置データに基づいて検索して、この検索された広告情報に含まれる広告データを電子メールに挿入する広告情報挿入手段と、送信側端末機において電子メールに挿入された受信側端末機における表示形式を識別する情報に基づいて地域情報の表示形式の変換を行う手段とを備えていることを特徴としている。
【０００９】
この第１の発明による電子メールへの広告情報付加システムは、インターネット等のコンピュータネットワークを介して行われる電子メールの交換システムに適用されるものであって、電子メールの送受信を統括する電子メールサイトにおいて実現される。
【００１０】
すなわち、送信側端末機から送信されてきた電子メールを保存し受信側端末機からの受信要求に基づいてこの保存していた電子メールを受信側端末機に送信するか、または、送信されてきた電子メールを保存しないで受信側、すなわち、宛先のメールサイトに送信する電子メールサイトは、送信側端末機から電子メールがコンピュータネットワークを介して送信されて来ると、地域情報検出手段によってこの電子メールに地図や交通機関等のメール本文に関連するような地域情報が含まれているか否かを検出する。
【００１１】
そして、この地域情報検出手段によって電子メールに地域情報が含まれていることが検出された際には、広告情報挿入手段が、あらかじめ地域情報に含まれる地図などの表示範囲を特定する位置情報が蓄積された位置情報データベースから、電子メールに含まれている地域情報に対応する位置情報を検索する。
【００１２】
さらに、広告情報挿入手段は、広告情報データベースにあらかじめ蓄積されている広告情報のなかから、位置情報データベースから検索された位置情報に基づいてこの位置情報によって特定される地域情報の表示範囲内に含まれる位置データを有する広告情報を検索して、検索された広告情報に含まれるバナー広告等の広告データを電子メールに挿入する。
【００１３】
このようにして地域情報に対応する広告データが挿入された電子メールは、受信側端末機から受信要求があった時にこの受信側端末機に送信され、または、そのまま宛先のメールサーバに送信されて、受信側端末機においてメール本文や地図などの地域情報とともに表示される。
【００１４】
以上のように第１の発明によれば、電子メールの交換の際に、交換される電子メール内に地図などの地域情報が含まれている場合には、この地域情報に関連する広告情報が自動的に挿入されるので、電子メールの広告媒体としての利用が促進されるとともに、この電子メールを受信した受信者は、地域情報とともにその地域に関連する広告情報を入手出来るので、地域情報の活用の利便性が向上され、さらに、広告提供者にとっても、ユーザに対して利用価値の高い広告情報を提供することが出来るようになるので、高い広告効果を期待することが出来るようになる。
さらに、この第１の発明によれば、電子メールサイトが、送信側端末機によって電子メールに挿入された受信側端末機における表示形式を識別する情報に基づいて地域情報の表示形式の変換を行うので、電子メールを受信側端末機に迅速に送信することができるようになる。
【００１５】
第２の発明による電子メールへの広告情報付加システムは、前記目的を達成するために、第１の構成に加えて、前記地域情報が地図または交通機関，住所の表示であることを特徴としている。
【００１６】
この第２の発明による電子メールへの広告情報付加システムによれば、電子メール内にメール本文に関連する地図や交通機関，住所等の表示があった場合に、その地図内に含まれる店舗等や交通機関の沿線に位置する店舗、または、住所に該当する店舗等に関する広告が、電子メール内に自動的挿入される。
【００１７】
第３の発明による電子メールへの広告情報付加システムは、前記目的を達成するために、第１の構成に加えて、位置情報データベースに蓄積された位置情報が、地域情報の表示範囲を緯度と経度によって特定するものであり、位置情報データベースは、地域情報の表示範囲を緯度範囲と経度範囲をパラメータにして特定することにより、地域情報に対応する位置情報の蓄積を行っている。
【００１８】
第４の発明による電子メールへの広告情報付加システムは、前記目的を達成するために、第１の構成に加えて、前記広告情報データベースに蓄積された広告情報に含まれる広告データが、バナー広告データであり、受信側端末機において受信者は、この電子メールに挿入されたバナー広告部分をクリックすることにより、このバナー広告に対応する広告内容をコンピュータネットワークを介して入手することが出来る。
【００１９】
第５の発明による電子メールへの広告情報付加システムは、前記目的を達成するために、第１の構成に加えて、前記広告情報データベースに蓄積された広告情報に含まれる位置データが、広告提供者の位置を緯度と経度によって特定するものであり、電子メールに挿入された地域情報の位置情報が地域情報の表示範囲を緯度範囲と経度範囲によって特定しているときに、この地域情報の表示範囲内に含まれる広告の広告データが、緯度と経度をパラメータにして検索される。
【００２３】
第６の発明による電子メールへの広告情報付加方法は、前記目的を達成するために、送信側端末機から送信されてきた電子メールを保存し受信側端末機からの受信要求に基づいて保存していた電子メールを受信側端末機に送信し、または、送信されてきた電子メールを宛先のメールサーバに送信する電子メールサイトにおいて、送信側端末機から送信されてきた電子メールに地域情報が含まれているか否かを検出し、電子メールに地域情報が含まれていることが検出された際に、地域情報の表示範囲を示す位置情報が蓄積された位置情報データベースから電子メールに含まれている地域情報の位置情報を検索し、広告データとその広告提供者の位置データを含む広告情報が蓄積された広告情報データベースから前記地域情報の表示範囲内に位置する広告情報を、その位置データと検索された前記地域情報の位置情報に基づいて検索して、この検索された広告情報に含まれる広告データを電子メールに挿入し、送信側端末機において電子メールに挿入された受信側端末機における表示形式を識別する情報に基づいて地域情報の表示形式を変換することを特徴としている。
【００２４】
第６の発明による電子メールへの広告情報付加方法によれば、交換される電子メールに地図などの地域情報が含まれている場合には、この地域情報に関連する広告情報が自動的に挿入されるので、電子メールの広告媒体としての利用が促進されるとともに、この電子メールを受信した受信者は、地域情報とともにその地域に関連する広告情報を入手出来るので、地域情報の活用の利便性が向上され、さらに、広告提供者にとっても、ユーザに対して利用価値の高い広告情報を提供することが出来るようになるので、高い広告効果を期待することが出来るようになる。
さらに、この第１の発明によれば、電子メールサイトが、送信側端末機によって電子メールに挿入された受信側端末機における表示形式を識別する情報に基づいて地域情報の表示形式の変換を行うので、電子メールを受信側端末機に迅速に送信することができるようになる。
【００２５】
第７の発明による電子メールへの広告情報付加方法は、前記目的を達成するために、第６の構成に加えて、前記地域情報の表示範囲を緯度と経度によって特定することを特徴としており、これによって、地域情報に関連する広告情報の検索を緯度と経度をパラメータとして行うことが出来るようになる。
【００２６】
第８の発明による電子メールへの広告情報付加方法は、前記目的を達成するために、第６の構成に加えて、前記広告データの広告の提供者の位置を緯度と経度によって特定することを特徴としており、これによって、地域情報の表示範囲が緯度と経度によって特定されている場合に、地域情報に関連する広告情報の検索を緯度と経度をパラメータとして行うことが出来るようになる。
【００２７】
第９の発明による電子メールへの広告情報付加方法は、前記目的を達成するために、第６の構成に加えて、送信側端末機から送信されてきた電子メールへの前記広告データの挿入をその電子メールの保存前または宛先のメールサーバへの送信前に行うことを特徴としており、これによって、受信側端末機から電子メールの受信要求があった時に、広告データが挿入された電子メールを受信側端末機に迅速に送信することが出来るようになる。
【００２９】
【発明の実施の形態】
以下、この発明の最も好適と思われる実施の形態について、図面を参照しながら詳細に説明を行う。
【００３０】
図１は、この発明による電子メールへの広告情報付加システムの実施形態の一例を示すシステム構成図である。
【００３１】
この図１において、情報検索機器であるマイクロコンピュータ等の端末機Ｔ１は、それぞれ公衆電話回線網Ｎ１に接続されており、この公衆電話回線網Ｎ１はネットワークサービスプロバイダ（ＮＳＰ）のアクセスサーバＡＳを介してインターネットＩに接続されている。
【００３２】
また、公衆電話回線網Ｎ１には、この公衆電話回線網Ｎ１に接続された移動体通信網Ｎ２を介して、ＰＤＡ（Personal Digital Assistant)や電子メール機能を備えた携帯電話（例えば、ｉモード対応の携帯電話）等の携帯端末機Ｔ２が接続されるようになっている。
インターネットＩには、電子メールサイトＳ１が接続されている。
【００３３】
この電子メールサイトＳ１は、送信側の端末機Ｔ１または携帯端末機Ｔ２からインターネットＩを介して送信されてくる電子メールを送信先のメールアドレスとともに保存し、受信側の端末機Ｔ１や携帯端末機Ｔ２からの送信要求に応じて、保存していた電子メールをインターネットＩを介して端末機Ｔ１や携帯端末機Ｔ２に送信するものであり、図２に示されるように、この電子メールサイトＳ１における電子メールの送受信動作を統括するメールサーバＳ１ａと、電子メールサイトＳ１に送信されてきた電子メールを送信先のメールアドレスとともに保存しておくメールデータベースＳ１ｂと、地図や交通機関の地域情報の表示範囲を緯度と経度によって示す位置情報が蓄積される位置情報データベースＳ１ｃと、広告内容とその広告提供者の位置（すなわち店舗等の位置）を示す広告情報が蓄積される広告情報データベースＳ１ｄとを備えている。
【００３４】
なお、図２中、Ｓ２は、地図や交通機関，住所等の地域情報の提供を行うＷＷＷサーバを備えた地域情報提供サイトであり、Ｓ３は、地図や交通機関などの情報を含む地域情報が蓄積されている地域情報データベースサイトである。
【００３５】
図３は、上記電子メールサイトＳの位置情報データベースＳ１ｃに記憶される位置情報の一例を示すものであって、この図３には、東京都大田区蒲田駅の周辺の地域に関する位置情報が階層順に示されている。
【００３６】
この図３において、「レベル」は位置情報の階層を示すものであって、高い階層（すなわち、レベル１）から順に広い地域の位置情報が示されており、この位置情報は、各レベルにおける地域の範囲を緯度と経度により例えば北緯○○−○○度，東経○○−○○度というような態様によって表している。
【００３７】
図４は、電子メールサイトＳ１の広告情報データベースＳ１ｄに記憶される広告情報の一例を示すものであって、広告データと、その広告データによって広告したい店舗の位置や商品の販売地域（以下、広告提供者の位置という）を示す緯度および経度とが、対応して示されている。
【００３８】
次に、電子メールサイトＳ１のメールサーバＳ１ａにおける電子メールの送受信動作について、送受信される電子メールの態様を示す図５と、メールサーバＳ１ａにおける電子メールの送受信操作の手順を示す図６および７のフローチャートを参照しながら説明を行う。
【００３９】
図５に示されるように、電子メールＭには、メール本文の記入欄ａとメール送信者が挿入した地域情報の表示欄ｂとが含まれる。
【００４０】
この地域情報の表示欄ｂには、電子メールＭの送信者が電子辞書やインターネットＩ（図１参照）を介して地域情報提供サイトＳ２および地域情報データベースサイトＳ３等から入手した所望の地域の地図や交通機関，住所などの地域情報が表示される。
【００４１】
ここで、以下の説明においては、電子メールＭの送信を行う端末機Ｔ１または携帯端末機Ｔ２（図１参照）において地域情報を表示する表示形式が、形式Ｆ１（例えば、ＭａｐＦａｎ形式）であるとする。
【００４２】
図６は電子メールサイトＳ１における送信されてきた電子メールの保存の際の手順を示しており、この図６において、電子メールサイトＳ１のメールサーバＳ１ａは、端末機Ｔ１または携帯端末機Ｔ２から電子メールＭの送信があったか否かの判断を行い（ステップｓ１）、電子メールＭの送信があった場合には、次に、その電子メールＭに表示欄ｂに地域情報の表示があるか否かの判断を行う（ステップｓ２）。
【００４３】
メールサーバＳ１ａは、電子メールＭの表示欄ｂに地域情報の表示があった場合には、次に位置情報データベースＳ１ｃにアクセスして、図３に示されるような位置情報のデータの中から表示欄ｂに表示された地域情報（例えば、蒲田の地図）に対応する位置情報（緯度および経度の範囲）の検索を行い、その検索した位置情報の読み出しを行う（ステップｓ３）。
【００４４】
さらに、メールサーバＳ１ａは、広告情報データベースＳ１ｄにアクセスして、図４に示されるような広告情報の中から、広告データに対応する位置（緯度と経度）が位置情報データベースＳ１ｃから読み出された位置情報が示す緯度と経度の範囲内に含まれる広告情報の検索を行い、この検索した広告情報の読み出しを行う（ステップｓ４）。
【００４５】
そして、メールサーバＳ１ａは、上記のようにして広告情報データベースＳ１ｄから読み出された広告情報が示す広告データを、後述するような電子メールＭの広告欄にバナー広告として挿入し（ステップｓ５）、このバナー広告が挿入された電子メールを送信先のメールアドレスとともにメールデータベースＳ１ｂに保存する（ステップｓ６）。
【００４６】
図７は電子メールサイトＳ１から受信側端末機に電子メールを送信する際の手順を示している。
【００４７】
この図７において、メールサーバＳ１ａは、端末機Ｔ１または携帯端末機Ｔ２（図１参照）からの受信要求があるか否かの判断を行い（ステップｓ１０）、受信要求があった場合には、メールデータベースＳ１ｂにアクセスして、受信要求を行っている端末機Ｔ１または携帯端末機Ｔ２のメールアドレスに対応する電子メールの読み出しを行う（ステップｓ１１）。
【００４８】
さらに、メールサーバＳ１ａは、受信要求を行った端末機Ｔ１または携帯端末機Ｔ２において処理可能な地域情報の表示形式を検出し（ステップｓ１２）、この検出した表示形式がメールデータベースＳ１ｂから読み出された電子メールの地域情報の表示形式（ここでは、ＭａｐＦａｎ形式）Ｆ１と異なっているか否かの判断を行う（ステップｓ１３）。
【００４９】
そして、メールサーバＳ１ａは、受信要求を行った端末機Ｔ１または携帯端末機Ｔ２における地域情報の表示形式がメールデータベースＳ１ｂから読み出した電子メールの表示形式と異なっていた場合には、あらかじめ表示形式データベースなどに蓄積されていた表示形式のデータに基づいて、電子メールの地域情報の表示形式Ｆ１を受信要求を行った端末機Ｔ１または携帯端末機Ｔ２の表示形式Ｆ２（例えば、マピオン形式）に変換して（ステップｓ１４）、その電子メールＭ１を、受信要求を行った端末機Ｔ１または携帯端末機Ｔ２に送信する（ステップｓ１５）。
【００５０】
また、地域情報の表示形式が互いに同じであった場合にはそのままの電子メールＭ２を、受信要求を行った端末機Ｔ１または携帯端末機Ｔ２に送信する（ステップｓ１５）。
【００５１】
なお、上記の地域情報の表示形式の変換は、既知の種々の方式によって行うことが出来る。
【００５２】
以上のようにして、受信要求を行った端末機Ｔ１または携帯端末機Ｔ２には、図５に示されるように、表示欄ｂに表示された地図や交通機関，住所等の地域情報に関連する広告データが広告欄ｃに挿入され、さらに、この表示欄ｂに表示された地域情報の表示形式が受信要求を行った端末機Ｔ１または携帯端末機Ｔ２における地域情報の表示形式に適合された電子メールＭ１またはＭ２が、電子メールサイトＳ１から送信される。
【００５３】
そして、上記のようにして地域情報に関連する広告データが挿入された電子メールＭ１またはＭ２を受信した受信者は、地域情報とともにその地域に関連する広告データを入手出来るので、地域情報の活用の利便性が向上される。
【００５４】
また、広告提供者にとっても、ユーザに対して利用価値の高い広告情報を自動的に提供することが出来るようになるので、高い広告効果を期待することが出来るようになり、これによって電子メールの広告媒体としての利用が促進されるようになる。
【００５５】
なお、上記においては、電子メールＭに広告データをバナー広告として挿入する例が示されているが、広告データをメールとは別ページにして受信側端末機の画面の全体に表示される形態で挿入したり、また、添付ファイルとして挿入するようにしても良い。
【００５６】
さらに、上記においては、電子メールサイトＳ１における電子メールＭへの広告データの挿入が電子メールＭのメールデータベースＳ１ｂへの保存の際に行われる例が示されており、これによって、受信側端末機が電子メールサイトＳ１にアクセスしてきた際に、電子メールサイトＳ１は、保存していた電子メールＭを受信側端末機に迅速に送信することが出来るようになるが、この電子メールＭへの広告データの挿入は、受信側端末機への送信のために電子メールＭがメールデータベースＳ１ｂから読み出された際に行われるようにしても良い。
【００５７】
また、上記例においては、送信側端末機から送信されてきた電子メールがメールデータベースＳ１ｂに一旦保存される場合について説明を行ったが、電子メールをメールデータベースＳ１ｂにおいて保存せずに、宛先のメースサーバに送信するような場合にも、同様の態様で広告データの挿入を行うことが出来る。
【００５８】
さらにまた、上記においては、地域情報の表示形式の変換が、電子メールサイトＳ１にアクセスしてきた受信側端末機における地域情報の表示形式を検出することによって行われる例が示されているが、送信側端末機において受信側端末機における表示形式を識別する情報を電子メールＭに挿入しておき、電子メールサイトＳ１がこの電子メールＭに挿入されている識別情報に基づいて地域情報の表示形式の変換を行うようにしても良い。
【００５９】
この場合には、電子メールサイトＳ１において、送信されてきた電子メールＭを、その地域情報の表示形式を受信側端末機の表示形式に適合した形式にあらかじめ変換した状態でメールデータベースＳ１ｂに保存するようにすれば、受信側端末機が電子メールサイトＳ１にアクセスしてきた際に、電子メールサイトＳ１は、保存していた電子メールＭを受信側端末機に迅速に送信することが出来るようになる。
【図面の簡単な説明】
【図１】この発明による広告情報付加システムの実施形態の一例を示すシステム構成図である。
【図２】同例における電子メールサイトのシステム構成図である。
【図３】同例における電子メールサイトの位置情報データベースに蓄積される位置情報の一例を示す説明図である。
【図４】同例における電子メールサイトの広告情報データベースに蓄積される広告情報の一例を示す説明図である。
【図５】同例において送受信される電子メールの形態の一例を示す説明図である。
【図６】同例における電子メールへの広告の挿入動作の一例を示すフローチャートである。
【図７】同例における地域情報の表示形式の変換動作の一例を示すフローチャートである。
【符号の説明】
Ｓ１            …電子メールサイト
Ｓ１ａ          …メールサーバ（地域情報検索手段，広告情報挿入手段，
表示形式検出手段，表示形式変換手段）
Ｓ１ｂ          …メールデータベース
Ｓ１ｃ          …位置情報データベース
Ｓ１ｄ          …広告情報データベース
Ｍ，Ｍ１，Ｍ２  …電子メール
ａ              …メール本文の記入欄
ｂ              …地域情報の表示欄
ｃ              …広告欄
Ｔ１            …端末機
Ｔ２            …携帯端末機
Ｉ              …インターネット
Ｎ１            …公衆電話回線網
Ｎ２            …移動体通信網
ＡＳ            …アクセスサーバ
Ｓ２            …地域情報提供サイト
Ｓ３            …地域情報データベースサイト
【図１】
0003895096.tif 000002
【図２】
0003895096.tif 000003
【図３】
0003895096.tif 000004
【図４】
0003895096.tif 000005
【図５】
0003895096.tif 000006
【図６】
0003895096.tif 000007
【図７】
0003895096.tif 000008